(57)【要約】  【課題】  血液生化学的検査において、検査対象を血漿成分とすべきところを、全血で検査したのでは正しい検査結果を得ることができない。また、濾紙などに吸収されて、濾過する血液が少ないために、多くの血液を採取しないければならず、患者の苦痛が大きい。  【解決手段】  血漿成分を検査対象とした血液生化学的検査では、全血の血液をバイオセンサの吸引口から吸い上げて、全血から濾紙によって血球成分を分離する。濾紙は大量の血液がしみこんだ状態となっている。この状態では、濾紙を濾過する血液量は少なくなる。濾紙に外圧手段によって外圧を加えると、濾紙にしみこんだ状態の血漿成分は、濾液としてしぼり出されて、空気孔の方向に移動する。すべての濾液である血漿成分を検査対象として検査する。  【選択図】  図１
2005283192.tif 000002
【特許請求の範囲】
【請求項１】
基板とカバーによって形成される一方向が開いた空間である吸引口と、
血液が流動するときに空気を流出させるための空気孔と、
反応層とを備えたバイオセンサであって、
保留粒子径未満の血液成分を分離する濾紙と、外圧手段とを有し、
前記濾紙に前記外圧手段によって外圧を加えると、
前記濾紙に含まれる保留粒子径未満の血液成分がしぼり出されるバイオセンサ。
【請求項２】
前記基板と前記カバーとの間に前記濾紙が挟まれ、前記基板に前記空気孔が設けられており、
前記外圧手段は前記カバーに外圧を加えると沈む押圧部であることを特徴とする請求項１に記載のバイオセンサ。
【請求項３】
前記吸引口は、前記基板と前記カバーと前記濾紙とによって形成される空間であることを特徴とする請求項１または請求項２に記載のバイオセンサ。
【請求項４】
保留粒子径が前記濾紙よりも小さいメンブレンフィルタを、前記濾紙と前記空気孔との間に有することを特徴とする請求項１から請求項３のいずれか一項に記載のバイオセンサ。
【請求項５】
タンパク質分解酵素であるプロテアーゼが、前記濾紙と前記反応層との間に配置されていることを特徴とする請求項１から請求項４のいずれか一項に記載のバイオセンサ。
【請求項６】
前記濾紙と前記メンブレンフィルタとの間に前記プロテアーゼが配置されていることを特徴とする請求項４に記載のバイオセンサ。
【請求項７】
前記反応層は酸化還元酵素と電子メディエータとを含むことを特徴とする請求項１から請求項６のいずれか一項に記載のバイオセンサ。
【請求項８】
前記酸化還元酵素はフルクトシルアミノ酸オキシダーゼであることを特徴とする請求項７に記載のバイオセンサ。
【請求項９】
前記電子メディエータがフェリシアン化カリウムであることを特徴とする請求項７または８に記載のバイオセンサ。
【発明の詳細な説明】
【技術分野】
【０００１】
本発明は、血液中の特定成分について、迅速かつ簡便に定量することができるバイオセンサに関する。
【背景技術】
【０００２】
糖尿病患者は患者本人の判断で食事制限、運動量を管理し正常な血糖管理に努めなければならない。特に１型糖尿病患者は高血糖時にインシュリン注射して、厳格な血糖管理が要求される。そのために患者は在宅で自ら血糖測定をしている。また２型糖尿病患者においても、運動療法、食事療法、薬物療法によって、合併症予防のために血糖レベルの維持をしなければならない。しかし、今日の２型糖尿病における問題は、治療の進め方と、セルフケアの向上にある。医療機関で行われる検査に加えて、在宅でも自らの手で確認し、得られた測定結果を食生活や運動に反映するならば、糖尿病合併症予防に大きな成果があると期待されている。
【０００３】
血糖管理マーカーとしては、医療機関では糖化タンパク質が検査される。例えば、ヘモグロビンＡ１ｃ（ＨｂＡ１ｃ）、グリコアルブミン（ＧＡ）、フルクトサミン（ＦＲＡ）等が血液の生化学的検査として知られている。糖尿病の臨床検査においてフルクトサミンは、過去２週間の平均血糖値を反映する検査項目であり、細かな薬剤管理や糖尿病教育入院時の管理、血糖管理が不安定な患者に広く検査されている。このフルクトサミンは、血漿成分のタンパク質のアミノ基に、グルコースのアルデヒド基が非酵素的に結合した糖化タンパク質のモル濃度のことである。
【０００４】
ここで、自己血糖測定に使われるバイオセンサについて説明する。代表的なグルコースセンサは、絶縁性の基板にスクリーン印刷などの方法により、作用極及び対極の電極を形成し、この電極上に酸化還元酵素及び電子メディエータを含む酵素反応層を形成している。酸化還元酵素にはグルコースオキシダーゼが、また電子メディエータにはフェリシアン化カリウムなどがそれぞれ用いられる。
【０００５】
このバイオセンサを示す分解斜視図が、特許文献１に記載されている。電極および酵素反応層の部分を細長く切り欠いたスペーサと、空気孔を形成したカバーとを、基板上に貼り合わせている。この構成によってキャビティが形成され、血液は吸引口から毛細管現象によりキャビティ内に導入される。そして、採取した血液（全血）は、電極および酵素反応層の位置まで導かれ、電極上で血液と酵素反応層が反応する。このとき生じる電流値は、外部の測定装置に接続して読み取られる。このような血糖値測定では、まず採血部位の指先に穿刺針を刺し、測定に必要な血液量を出す。そして血液をバイオセンサの先端に接触させると、血液が毛細管現象によって吸引されて、血糖値測定が開始されるようになっている。
【０００６】
ここで血液の成分について簡単に説明する。血液（全血）から赤血球など血球成分を取り除いた液体が血漿成分である。正常な血漿はその９０〜９２％が水で、７〜８％がアルブミン、グロブリン、フィブリノゲンなどのタンパク質、約０．９％が無機塩、その他はタンパク質以外の有機物である。この中にはアミノ酸、尿酸、グルコース、中性脂肪、コレステロールなどが存在する。この血漿成分からフィブリノゲンを除いたものがほぼ血清である。
【０００７】
バイオセンサは、測定対象物質を基質とする酵素を用いることで、様々な物質に対する測定が原理的には可能である。グルコース以外にもコレステロールや乳酸、グルタミン酸
などを基質とする酵素を利用すれば、同様の原理でこれらの成分のバイオセンサを作製することができる。そこで、自己血糖を測定している糖尿病患者を対象として、血糖値の測定だけではなく、血糖管理マーカーであるフルクトサミンを同時に測定できる機器が開発された。
【０００８】
特許文献２によれば、バイオセンサの構成は、フィルム上にスクリーン印刷法により、カーボン製の作用極と対極を形成した。作用極上にはフルクトシルアミノ酸オキシダーゼ（ＦＡＯＤ）及びフェリシアン化カリウムの溶液を滴下して、乾燥させフルクトサミン測定用のＦＡＯＤ電極を作成した。さらに電極および酵素反応層の上には、低分子透過メンブレンフィルターを配置して、それにプロテアーゼ固定膜を重ねあわせた。フルクトサミンの糖化タンパク質はプロテアーゼ処理され、低分子透過メンブレンフィルターを介さなければ、作用電極に到達できないように構成されている。
【０００９】
しかし、このバイオセンサの場合には、血球を含めた全血をプロテアーゼ処理の対象としている。そのため赤血球の膜が破れるなどして溶血して、ヘモグロビンが血球外に溶出してしまう。フルクトサミンの測定は、本来は血漿中にある糖化タンパク質を対象にしているが、血球成分を分離できないために全血を対象とした測定になってしまう。また、ヘモグロビンはタンパク質であり、糖化ヘモグロビンつまり糖化タンパク質も存在している。ＦＡＯＤは、血漿タンパク質由来のアミノ酸と、ヘモグロビン由来のアミノ酸との明確な認識能は備えていないために、正確なフルクトサミン測定は困難である。
【００１０】
バイオセンサには血液の吸引口が設けられていない。指先に穿刺針を刺し、測定に必要な血液量を出した後、メンブレンフィルターに血液を垂らす方法で血液を供給することになるが、少ない血液をバイオセンサに導くことは極めて困難である。
【００１１】
別のバイオセンサとして、酸化還元酵素にコレステロールオキシダーゼを用いて、血漿成分のコレステロールを測定するバイオセンサが開発された。この酵素反応の進行は非常に遅いので、適切な界面活性剤を添加することにより、コレステロールエステラーゼの活性を向上させ、全体の反応に要する時間を短縮することができた。しかし、反応系に界面活性剤が含まれることから、界面活性剤が血球に悪影響を及ぼすため、グルコースセンサのように全血そのものを測定することは不可能である。
【００１２】
そこで特許文献３によれば図６に示すように、血球を濾過して血漿のみを迅速にセンサ内に供給するために、血液供給路の開口部付近に、血球除去のために濾紙１４１を設ける提案がなされている。穿刺により指先から採取した血液をバイオセンサのカバー１３０にある開口１２１へ供給する。ここに供給された血液は、濾紙１４１の上表面からその内へ浸透し、しみこんでいく。そして、血球以外の濾液である血漿が濾紙下面からしみ出す。基板１１０には電極１１３および酵素の反応層１１４が固定化されている。この電極１１３と反応層１１４の部分を細長く切り欠いたスペーサ１２０と、空気孔１１２を形成したカバー１３０が、基板１１０に貼り合わせている。そして、濾紙１４１からしみ出した血漿成分は、電極１１３と反応層１１４を覆う位置に達し、さらに空気孔１１２までの供給路全体を満たす。供給路全体が満たされると、濾紙１４１に滴下された液体の流動は停止して、血球は濾液として流出しない構造になっている。
【００１３】
しかしこの場合には、濾紙に大量の血液がしみこんだ状態となってしまい、濾紙を濾過する血液量は少なくなり、採血する血液量は多く必要になってしまう。指先に穿刺針を刺して、測定に必要な血液量を出すことになるが、その採血量が５マイクロリットル程度までの一滴の血液ならば比較的容易にできる。しかし、採血量が１０マイクロリットル以上となると一回の穿刺では簡単には採取できない。
【特許文献１】特開２００１−１５９６１８号公報（第２頁、第４図）
【特許文献２】特開２００１−２６４３３６号公報（第４頁、第１図）
【特許文献３】特開２００３−６５９９７号公報（第５−７頁、第１図）
【発明の開示】
【発明が解決しようとする課題】
【００１４】
血液生化学的検査において、検査対象を血漿成分とすべきところを、全血で検査したのでは正しい検査結果を得ることができない。例えばフルクトサミンは血漿を検査対象とするが、全血を検査対象としたのでは、血漿中には存在しない糖化ヘモグロビンを検査対象としてしまい、血漿中の糖化タンパク質のモル濃度を正しく測定することができない。
【００１５】
また、濾紙などに吸収され、濾紙などを濾過する血液が少ないために、多くの血液を採取しなければならず、患者の苦痛が大きいという問題点もあった。
【課題を解決するための手段】
【００１６】
そこで本発明では以下に示す構成を採用する。
すなわち、本発明のバイオセンサは、基板とカバーによって形成される一方向が開いた空間である吸引口と、血液が流動するときに空気を流出させるための空気孔と、反応層を備えたバイオセンサであって、保留粒子径未満の血球成分を分離する濾紙と、外圧手段を設けて、濾紙に外圧手段によって外圧を加えると、濾紙に含まれる保留粒子径未満の血液成分がしぼり出される構造にしたことを特徴とする。
【００１７】
基板とカバーの間に濾紙が挟まれ、基板に空気孔が設けられ、外圧手段はカバーに外圧を加えると沈む押圧部とすることが好ましい。また、吸引口は、基板とカバーの間は空洞部と、濾紙部から構成されていることが好ましい。
【００１８】
保留粒子径が濾紙よりも小さいメンブレンフィルタを、濾紙と空気孔の間に設けることが好ましい。また、タンパク質分解酵素であるプロテアーゼを、濾紙と反応層の間に設けることが好ましい。また、濾紙とメンブレンフィルタの間にプロテアーゼを配置することが好ましい。
【００１９】
反応層は酸化還元酵素と電子メディエータを含むことが好ましい。さらに、酸化還元酵素はフルクトシルアミノ酸オキシダーゼであり、電子メディエータはフェリシアン化カリウムであることが好ましい。
【００２０】
（作用）
全血の血液をバイオセンサの吸引口から吸い上げる。血漿成分を検査対象とした血液生化学的検査では、全血の血液から濾紙によって血球成分を分離する。濾紙は大量の血液がしみこんだ状態となっている。この状態では、濾紙を濾過する血液量は少なくなる。濾紙に外圧手段によって外圧を加えると、濾紙にしみこんだ状態の血漿成分は、濾液としてしぼり出されて、空気孔の方向に移動する。すべての濾液である血漿成分を検査対象として検査する。
【発明の効果】
【００２１】
本発明のバイオセンサは、血漿を検査対象とした血液生化学的検査において、バイオセンサの内部に血球成分を除去する機能を備え、全血をバイオセンサに提供しても正しい検査結果を得ることができる。例えばフルクトサミンの検査では、皮膚表面を穿刺して簡単に得られ量の全血を検査対象として、血漿成分には存在しない糖化ヘモグロビンを除外した血漿中の糖化タンパク質のモル濃度を正しく測定できる。
【００２２】
また、採取した血液が濾紙などに吸い取られるが、それをしぼり出して測定対象とする
ことによつて、少量の血液でも無駄なく測定できる。このことにより、多くの血液を採取する必要がなく、患者の苦痛が大きく軽減された。さらに、バイオセンサに十分な吸引機能を設けることによって、穿刺による出血が少なくても、血液の検査に必要な量の血液をバイオセンサに導くことができるようになった。
【発明を実施するための最良の形態】
【００２３】
（実施例１）
図２は、本発明のバイオセンサの一実施例の外観図である。バイオセセンサ１は、下から順番に基板１０、スペーサ２０、カバー３０を積み重ねたサンドイッチ構造になっている。吸引口２１は、バイオセンサ１の先端にあり、基板１０とカバー３０に挟まれた隙間から血液を吸上げる。導体１１は、バイオセンサ１の他端にあり、測定装置に接続して生じる電流値を測定する。空気孔１２は基板１０の貫通孔であり、血液が流動するときの空気流出孔である。押圧部３１はカバー３０の上面側に突起していて、血液吸引後に押圧部３１を押してフィルタ内部の血液を濾液としてしぼり出す。
【００２４】
図１は、バイオセンサ１の分解斜視図である。基板１０は、プラスチックフィルムであり、例えばポリエステルフィルムである。基板１０のフィルム面に銀ペーストをスクリーン印刷して、抵抗が低い銀製の導体１１を形成している。同様にカーボンペーストをスクリーン印刷法により印刷し、カーボン製の作用極と対極の電極１３を形成させた。作用極近傍には空気孔１２を設けた。反応層１４は酸化還元酵素と電子メディエータの反応層であり、フルクトシルアミノ酸オキシダーゼ（ＦＡＯＤ）とメディエータを一緒に混ぜて滴下して凍結乾燥させても良いし、始めにメディエータだけを滴下して乾燥させて、その上にＦＡＯＤを滴下して凍結乾燥させても良い。なお、メディエータにはフェリシアン化カリウムを用いている。なお、反応層１４は、作用極の電極１３に固定化されている。
【００２５】
先端から延びた吸引口２１と、電極１３の上部のキャビティ２２は連結した形状をしている。スペーサ２０は予め連結形状に抜き落とした形状をしている、例えば厚さ０．１ミリメートルのポリエステルフィルムである。そして、スペーサ２０は基板１０の上面に貼り付けられて、吸引口２１とキャビティ２２の隙間を作りだしている。ここでは、スペーサ２０はポリエステルフィルムを挟む構造としたが、基板１０の上面にＵＶ硬化型の厚盛用インクをスクリーン印刷して、吸引口２１とキャビティ２２の隙間ができるようにしても良い。
【００２６】
濾紙４１は、保留粒子径５μｍで濾過速度の速い一般的な定性濾紙であり、厚さは例えば０．２ミリメートルである。赤血球、白血球など血球成分は粒径が大きく、濾紙４１によって分離できる。赤血球は溶血していないので、ヘモグロビンは透過されずに分離されたことになる。血漿成分のタンパク質の分子径は、アルブミンが６．４ｎｍ、グロブリンが８．４ｎｍであり、濾紙４１では透過して濾液として取り出すことができる。メンブレンフィルタ４３は、保留粒子径が濾紙４１よりも小さい低分子透過メンブレンフィルターであり、セルロース混合エステルタイプを使用している。タンパク質や酵素、多糖類などの高分子物質は透過せずに保持しておくことができ、アミノ酸や塩類などの低分子物質は膜を透過する。濾紙４１及びメンブレンフィルタ４３は、キャビティ２２の上方に位置し、スペーサ２０とカバー３０に挟まれて固定されている。
【００２７】
プロテアーゼ４２は、タンパク質分解酵素である。これによって、濾紙４１の濾液である血漿成分のタンパク質は、プロテアーゼ処理される。プロテアーゼ４２は、濾紙４１とメンブレンフィルタ４３の間に配置して、濾紙４１の濾液をプロテアーゼ処理してメンブレンフィルタ４３を透過させる。例えばメンブレンフィルタ４３の上面にプロテアーゼ４２を滴下して凍結乾燥させれば良い。血漿成分のタンパク質はプロテアーゼ４２によってアミノ酸に分解され、数分後にはほとんどすべてのタンパク質がアミノ酸に分解される。
【００２８】
このメンブレンフィルタ４３によって、タンパク質を分離してアミノ酸を濾過するために、加圧または減圧による外圧を加えて濾過する方法が採られる。カバー３０は厚さ０．１ミリメートルのポリエステルフィルムであり、真空成形で押圧部３１を成形している。押圧部３１の高さは約０．３ミリメートルであり、濾紙４１の厚さ０．２ミリメートルとメンブレンフィルタ４３の厚さ０．１ミリメートルを合わせた程度である。押圧部３１に上方から力を加えると、下方に少し沈む構造になっていて、濾紙４１に力が伝わるようになっている。そして、カバー３０はスペーサ２０の上面に貼り付けられている。なお、本実施形態では押圧部３１を凸形状としたが、押圧部３１を平坦形状として、力が加えられると凹形状に沈むようにしても良い。
【００２９】
つまり、基板１０とカバー３０の間に濾紙４１が挟まれた構造になっている。押圧部３１に外圧を加えると、濾紙４１に含まれた血漿成分は濾液としてしぼり出され流動する。この流動を妨げないように基板１０の反応層１４近傍には空気孔１２が設けられている。さらに、メンブレンフィルタ４３は、濾紙４１と空気孔１２の間に設けて、低分子透過させている。
【００３０】
図３は、カバー３０を取り除いたバイオセンサ１の上面図である。また図４は、バイオセンサ１の中心位置での断面図である。これらの図はバイオセンサ１の吸引口２１及びキャビティ２２近傍を表したものであり、導体１１側は表していない。まず、吸引口２１の先端部付近の断面には濾紙４１もなく、基板１０とカバー３０の間には例えば０．１ミリメートルの隙間があり、容積が約１．２マイクロリットルの空洞になっている。この空洞部があることによって、血液を吸引口２１に近づけると、血液を空洞部全体に素早く吸引して、空洞部を血液で満たす。吸引口２１の他端では、濾紙４１が基板１０とカバー３０に挟まれた構造になっている。血液は濾紙４１の吸引口側の側面から吸い上げられ、濾紙４１は約１．８マイクロリットルの血液を吸い上げた状態で保つことができる。検査に必要な採血量はこの１．２マイクロリットルと１．８マイクロリットルのふたつを合わせた約３マイクロリットルである。
【００３１】
濾紙４１に吸い上げられた血液は、濾紙４１の内部を拡散してキャビティ側に進行するが、血球成分は濾紙４１の吸引口側で捕獲され、血漿成分がキャビティ側に進行する。毛細管現象によって濾液の血漿成分は次々としみ出し、空洞部の血液は濾紙４１に次々と吸い上げられる。なお、濾紙４１のセルロース繊維が一方向に揃っている場合には、その繊維方向を血液の進行方向、つまりバイオセンサの長手方向に使用すると、濾紙４１の吸収速度が上がるので望ましい。
【００３２】
次にキャビティ側では、濾紙４１とメンブレンフィルタ４３が、基板１０とカバー３０に挟まれている。メンブレンフィルタ４３の直径は、キャビティ２２の直径よりも大きい寸法でできている。そしてメンブレンフィルタ４３と基板１０の間には、スペーサ２０の厚さ例えば０．１ミリメートルに相当するキャビティ２２の空洞ができている。例えばキャビティ２２の空洞の容積は、０．５マイクロリットルである。空気孔１２は、キャビティ２２の下方に位置する基板１０の一部分に小さな貫通穴が開けられていて、血液が流動するときの空気流出孔の働きをしている。キャビティ側に進行した血漿成分は、濾液として濾紙４１からしみ出して、濾紙４１とメンブレンフィルタ４３の間にためられる。
【００３３】
カバー３０の押圧部３１に外圧Ｆが加えられると、この外圧Ｆによって押圧部３１は少し沈み、濾紙４１に外圧Ｆが伝わり血漿成分が濾液としてしぼり出される。また、メンブレンフィルタ４３では高分子のタンパク質は透過できない粒径でありが、アミノ酸など低分子の成分は透過してキャビティ２２に導かれる。
【００３４】
次に、図４及び図１を用いて、血液を吸引してからフルクトサミンの検査までのバイオセンサ１の動作について説明する。まず採血部位の指先に穿刺針を刺し、測定に必要な血液量を出す。そして血液（全血）をバイオセンサ１の吸引口２１に接触させる。血液は毛細管現象によって吸引されて吸引口２１の空洞部を満たし、さらに、濾紙４１の吸引口側の側面から血液は吸収され、濾紙４１の全体に拡散する。このとき、吸引口２１からキャビティー２２に直接に流れ込むことはない。なお、粒径が大きい血球成分は濾紙４１の吸引口側で捕獲され、血漿成分が濾紙４１のキャビティ２２側に拡散している。
【００３５】
濾紙４１の濾液である血漿成分は、凍結乾燥されたプロテアーゼ４２を溶かして、タンパク質のプロテアーゼ処理を始める。タンパク質の分解は徐々に進行して、ほとんどすべてのタンパク質が分解するには数分間必要である。このときバイオセンサ１は測定装置に接続されていて、この一定時間経過後には、カバー３０の押圧部３１に測定装置から外圧Ｆが加えられ続ける。この外圧Ｆによって押圧部３１は少し沈み、濾紙４１に外圧Ｆが伝わり血漿成分が濾液としてしぼり出される。
【００３６】
血漿成分のタンパク質はプロテアーゼ処理されアミノ酸に分解されている。メンブレンフィルタ４３では高分子のタンパク質は透過できない粒径であり、プロテアーゼ処理されたアミノ酸は透過できる粒径である。そして外力Ｆが伝わることで、アミノ酸を含む低分子の成分はメンブレンフィルタ４３を透過してキャビティ２２に導かれる。
【００３７】
低分子の成分は反応層１４の位置まで導かれ、電極１３上で酸化還元酵素及び電子メディエータと反応する。そして、生じる電流値は接続してある測定装置に読み取られ、フルクトサミンのモル濃度を測定する。
【００３８】
（実施例２）
図５は、本発明バイオセンサの他の実施例の外観図である。２はバイオセセンサであり、基板１０、スペーサ２０、カバー３０、吸引口２１、空気孔１２、電極１１は、図２に示したものと同一機能を有していて、内部構成は図示されていないが実施例１と同様である。３２はカバー３０の上面側に設けられた加圧口であり、押圧部３１に替わる外圧手段である。濾紙４１にしみ込んだ血漿成分を、加圧口４１から圧縮空気で外圧Ｇを加えると、濾紙４１にしみ込んだ状態の血漿成分は濾液としてしぼり出される構造になっている。
【００３９】
以上のように、濾紙４１は基板１０とカバー３０の間に挟まれていて、押圧部３１または加圧口３２によって外圧を加えると、濾紙４１にしみこんだ状態の血漿は濾液としてしぼり出され流動する。この流動を妨げないように基板１０の反応層１４近傍には空気孔１２が設けられている。さらに、メンブレンフィルタ４３は、濾紙４１と空気孔１２の間に設けていて、この外力Ｆを加えることによって、低分子成分はメンブレンフィルタ４３を透過させている。このように血液の無駄を減らしたことにより、約３マイクロリットルあれば検査できるようになった。この少ない採血量のバイオセンサを開発したことによつて、在宅でも自らの手で血液生化学的検査が行えるようになった。
【産業上の利用可能性】
【００４０】
検査対象を血漿成分とする血液生化学的検査であっても、全血を採取して検査するバイオセンサに適用できる。例えば、糖尿病の臨床検査項目であるフルクトサミンは、血漿成分の糖化タンパク質のモル濃度でのことであり、この検査を糖尿病患者が在宅で簡便に検査するバイオセンサにも適用できるのである。
【図面の簡単な説明】
【００４１】
【図１】本発明のバイオセンサの分解斜視図である。
【図２】本発明のバイオセンサを斜め上方と下方から見た外観図である。
【図３】本発明のバイオセンサのカバーを取り除いた上面図である。
【図４】本発明のバイオセンサの断面図である。
【図５】本発明のバイオセンサを斜め上方と下方から見た外観図である。
【図６】従来のバイオセンサの分解斜視図である。
【符号の説明】
【００４２】
１０  基板
１２  空気孔
１３  電極
１４  反応層
２０  スペーサ
２１  吸引口
２２  キャビティ
３０  カバー
３１  押圧部
３２  加圧口
４１  濾紙
４２  プロテアーゼ
４３  メンブレンフィルタ
【図１】
2005283192.tif 000003
【図２】
2005283192.tif 000004
【図３】
2005283192.tif 000005
【図４】
2005283192.tif 000006
【図５】
2005283192.tif 000007
【図６】
2005283192.tif 000008